(57)【要約】【課題】高速モード用ピンが通常モード専用のコネクタの端子と誤接触することを防止した半導体メモリカードを提供する。【解決手段】実施の形態のＳＤメモリカード１００は、メモリパッケージへのデータの読み書きをメモリコントローラに通常モードで行わせる際に用いられる通常モード用ピン４と、メモリパッケージへのデータの読み書きをメモリコントローラに高速モードで行わせる際に用いられる高速モード用ピン５と、通常モード専用のコネクタのカード挿入穴に正常位置まで挿入されることを、通常モード専用のコネクタのカード挿入穴の開口部と干渉して妨げる段差６とを備える。通常モード用ピン４が挿入方向の先端部に、高速モード用ピン５が挿入方向の先端部よりも後方に、それぞれ挿入方向と直交する方向に整列して二列に隣接して配置されており、通常モードでの使用時と高速モードでの使用時とで、コネクタへの挿入方向が同一である。【選択図】図１
2011146020.tif 000002
【特許請求の範囲】
【請求項１】
半導体メモリ及び該半導体メモリを制御するコントローラが実装された基板と、前記基板を収容する筐体とを有し、第１のモードと、該第１のモードよりも高速にデータを転送する第２のモードとで前記半導体メモリへのデータの読み書きが可能な半導体メモリカードであって、
前記半導体メモリへのデータの読み書きを前記コントローラに前記第１のモードで行わせる際に用いられる第１のピン群と、
前記半導体メモリへのデータの読み書きを前記コントローラに前記第２のモードで行わせる際に用いられる第２のピン群と、
前記第１のモード専用のコネクタのカード挿入穴に正常位置まで挿入されることを、前記第１のモード専用のコネクタのカード挿入穴の開口部又は内壁部と干渉して妨げる干渉部とを備え、
前記第１のピン群及び前記第２のピン群の一方が挿入方向の先端部に、他方が前記挿入方向の先端部よりも後方に、それぞれ前記挿入方向と直交する方向に整列して二列に隣接して配置されており、
前記第１のモードでの使用時と前記第２のモードでの使用時とで、コネクタへの挿入方向が同一であることを特徴とする半導体メモリカード。
【請求項２】
前記第１のモード専用のコネクタのカード挿入穴の開口幅よりも幅が広い幅広部を備え、該幅広部によって前記干渉部が形成されたことを特徴とする請求項１記載の半導体メモリカード。
【請求項３】
前記干渉部が、前記筐体の正面視の形状を前記第１のモード専用のコネクタのカード挿入穴の開口部に対して干渉する形状とすることによって形成されたことを特徴とする請求項１記載の半導体メモリカード。
【請求項４】
前記第２のモードに対応したコネクタは、前記第２のピン群に対応する第２の端子群を前記カード挿入穴の奥端に、前記第１のピン群に対応する端子群を前記第２の端子群よりも前記カード挿入穴の開口側にそれぞれ備え、
前記半導体メモリカードは、前記カード挿入穴への挿入方向の先端に前記第２のピン群を、該第２のピン群よりも前記挿入方向の後方に前記第１のピン群をそれぞれ備え、前記第２のモードに対応したコネクタのカード挿入穴へ挿入した際に、前記第１及び第２のピン群が、前記第１及び第２の端子群に当接することを特徴とする請求項１から３のいずれか１項記載の半導体メモリカード。
【請求項５】
前記第２のモードに対応したコネクタは、前記第２のピン群に対応する第２の端子群を前記カード挿入穴の開口端に、前記第１のピン群に対応する端子群を前記第２の端子群よりも前記カード挿入穴の奥側にそれぞれ備え、
前記半導体メモリカードは、前記カード挿入穴への挿入方向の先端に前記第１のピン群を、該第１のピン群よりも前記挿入方向の後方に前記第２のピン群をそれぞれ備え、前記第２のモードに対応したコネクタのカード挿入穴へ挿入した際に、前記第１及び第２のピン群が、前記第１及び第２の端子群に当接することを特徴とする請求項１から３のいずれか１項記載の半導体メモリカード。
【請求項６】
前記第２のピン群に、少なくともグラウンドと一対の差動データ信号とが割り当てられたことを特徴とする請求項１から５のいずれか１項記載の半導体メモリカード。
【請求項７】
前記第２のピン群の中の差動データ信号及び差動クロック信号が割り当てられたピンは、前記第２のピン群の中の電源又はグラウンドが割り当てられたピンよりも面積が小さいことを特徴とする請求項６記載の半導体メモリカード。
【請求項８】
前記第１のピン群の中の電源が割り当てられたピンと前記第２のピン群の中の電源が割り当てられたピンとが隣接するように配置されたことを特徴とする請求項６又は７記載の半導体メモリカード。
【発明の詳細な説明】
【技術分野】
【０００１】
本発明の実施形態は、半導体メモリカードに関する。
【背景技術】
【０００２】
近年、例えばＮＡＮＤフラッシュメモリなどの半導体メモリを用いたメモリカードは、連続撮影した静止画像や高解像度の動画像の記録といった用途にも用いられており、これらの用途においては短時間に多くの情報を読み出したり書き込んだりすること、即ちデータ転送速度の高速化が求められている。一例としては、３００ＭＢｙｔｅ／ｓｅｃのデータ転送速度を実現することが求められている。
【０００３】
旧来のＳＤＴＭメモリカード（以下、ＳＤメモリカードと表記する。）は、データ転送速度が高々２０ＭＢｙｔｅ／ｓｅｃ程度であるため、通常の動作モード（通常モード）とは別に、これよりも高速に情報を読み書き可能な動作モード（高速モード）でも使用可能とすることが提案されている。
【０００４】
半導体メモリカードを高速モードでも使用可能とする場合、高速モード用のピンを通常モード用のピンとは別個に設けることとなる。例えば、ＭＭＣ（Multi Media Card）規格に採用されているような２列配置と同様に、高速モードで用いる信号に対応してピンを新設する必要がある（特許文献１参照）。
【０００５】
ところで、従来の半導体メモリカード（通常モード専用の半導体メモリカード）にデータを読み書きするために用いる従来のコネクタの中には、半導体メモリカードの規格で定められたピンに対応する端子以外の端子が設けられているものもある。例えば、２種類以上の半導体メモリカードにデータを読み書き可能なコネクタの場合、ある半導体メモリカードの規格に関して、ピンに対応した規格で定められた端子以外に、規格外の端子を備えていることとなる。このような規格外の端子を備えたコネクタに対して、高速モード用のピンを備えた半導体メモリカードを挿入すると、高速モード用のピンがコネクタ側の規格外のピンと接触する可能性があり、記録したデータが破壊されてしまうなどの不具合が発生する原因となりうるという問題が考えられる。
【先行技術文献】
【特許文献】
【０００６】
【特許文献１】特開２００５−８４９３５号公報
【発明の概要】
【発明が解決しようとする課題】
【０００７】
実施の形態は、高速モード用ピンが通常モード専用のコネクタの端子と誤接触することを防止した半導体メモリカードを提供することを目的とする。
【課題を解決するための手段】
【０００８】
実施の形態の半導体メモリカードは、半導体メモリ及び該半導体メモリを制御するコントローラが実装された基板と、基板を収容する筐体とを有し、第１のモードと、該第１のモードよりも高速にデータを転送する第２のモードとで半導体メモリへのデータの読み書きが可能な半導体メモリカードである。実施の形態の半導体メモリカードは、半導体メモリへのデータの読み書きをコントローラに通常モードで行わせる際に用いられる第１のピン群と、半導体メモリへのデータの読み書きをコントローラに高速モードで行わせる際に用いられる第２のピン群と、第１のモード専用のコネクタのカード挿入穴に正常位置まで挿入されることを、第１のモード専用のコネクタのカード挿入穴と干渉して妨げる干渉部とを備える。第１のピン群及び第２のピン群の一方が挿入方向の先端部に、他方が挿入方向の先端部よりも後方に、それぞれ挿入方向と直交する方向に整列して二列に隣接して配置されており、第１のモードでの使用時と第２のモードでの使用時とで、コネクタへの挿入方向が同一である。
【図面の簡単な説明】
【０００９】
【図１】図１は、第１の実施の形態に係る半導体メモリカードとしてＳＤメモリカードの構成を示す図。
【図２】図２は、第１の実施の形態に係るＳＤメモリカードの前面図。
【図３】図３は、信号ピンを電源ピンやグラウンドピンと比較して小さくしたＳＤメモリカードの一例を示す図。
【図４】図４は、第１の実施の形態に係るＳＤメモリカードを高速モード対応コネクタに挿入した状態を示す図。
【図５】図５は、第１の実施の形態に係る高速モード対応コネクタのカード挿入穴に従来のＳＤメモリカードを挿入した状態を示す図。
【図６】図６は、第２の実施の形態に係る半導体メモリカードとしてＳＤメモリカードの構成を示す図。
【図７】図７は、第２の実施の形態に係るＳＤメモリカードを従来のコネクタのカード挿入穴に挿入できない状態を示す図。
【図８】図８は、第２の実施の形態に係るＳＤメモリカードにデータを読み書きする際に用いる高速モード対応コネクタの形状を示す図。
【図９】図９は、第２の実施の形態に係るＳＤメモリカードを高速モード対応コネクタのカード挿入穴に挿入した状態を示す図。
【図１０】図１０は、第２の実施の形態に係る高速モード対応コネクタに、従来のＳＤメモリカードを挿入した状態を示す図。
【図１１】図１１は、第３の実施の形態に係る半導体メモリカードとしてＳＤメモリカードの構成を示す図。
【図１２】図１２は、第３の実施の形態に係るＳＤメモリカードの前面図。
【図１３】図１３は、第３の実施の形態に係るＳＤメモリカードを高速モード対応コネクタのカード挿入穴に挿入した状態を示す図。
【図１４】図１４は、第３の実施の形態に係る高速モード対応コネクタのカード挿入穴に、従来のＳＤメモリカードを挿入した状態を示す図。
【図１５】図１５は、第４の実施の形態に係る半導体メモリカードとしてＳＤメモリカードの構成を示す図。
【図１６】図１６は、第４の実施の形態に係るＳＤメモリカードを読み書きするための高速モード対応コネクタのカード挿入穴に、ＳＤメモリカードを挿入した状態を示す図。
【図１７】図１７は、第４の実施の形態に係る高速モード対応コネクタのカード挿入穴に、従来のＳＤメモリカードを挿入した状態を示す図。
【図１８】図１８は、第５の実施の形態に係る半導体メモリカードとしてのＳＤメモリカードの構成を示す図。
【図１９】図１９は、ＳＤメモリカードの先端側及び後方側を視点方向とする外観を示す図。
【図２０】図２０は、ＳＤメモリカードにデータを読み書きする際に用いる高速モード対応コネクタの形状を示す図。
【図２１】図２１は、ＳＤメモリカードを高速モード対応コネクタのカード挿入穴２４１に挿入した状態を示す図。
【図２２】図２２は、ＳＤメモリカードが裏返しや前後逆の状態であるとリブがカード挿入穴の開口に干渉する状態を示す図。
【図２３】図２３は、高速モード対応コネクタのカード挿入穴に、従来のＳＤメモリカードを挿入した状態を示す図。
【図２４】図２４は、第６の実施の形態に係る半導体メモリカードとしてＳＤメモリカードの構成を示す図。
【図２５】図２５は、ＳＤメモリカードの先端側及び後方側を視点方向とする外観を示す図。
【図２６】図２６は、ＳＤメモリカードにデータを読み書きする際に用いる高速モード対応コネクタの形状を示す図。
【図２７】図２７は、ＳＤメモリカードを高速モード対応コネクタのカード挿入穴２５１に挿入した状態を示す図。
【図２８】図２８は、ＳＤメモリカードが裏返しの状態であるとリブがカード挿入穴の開口に干渉する状態を示す図。
【図２９】図２９は、高速モード対応コネクタのカード挿入穴に、従来のＳＤメモリカードを挿入した状態を示す図。
【図３０】図３０は、従来のＳＤメモリカードの上面図。
【図３１】図３１は、従来のＳＤメモリカードの下面図。
【図３２】図３２は、従来のＳＤメモリカードの前面図。
【図３３】図３３は、従来のＳＤメモリカードにデータを読み書きする際に用いるコネクタの形状を示す図。
【図３４】図３４は、従来のＳＤメモリカードを正しい向きで従来のコネクタのカード挿入穴に挿入した状態を示す図。
【図３５】図３５は、従来のＳＤメモリカードを前後逆向きで従来のコネクタのカード挿入穴に挿入した状態を示す図。
【図３６】図３６は、従来のＳＤメモリカードを上下逆向きでは従来のコネクタのカード挿入穴に挿入できないことを示す図。
【発明を実施するための形態】
【００１０】
以下に添付図面を参照して、実施の形態に係る半導体メモリカードを詳細に説明する。なお、これらの実施の形態により本発明が限定されるものではない。
【００１１】
（第１の実施の形態）
図１は、第１の実施の形態に係る半導体メモリカードとしてＳＤメモリカードの構成を示す図である。ここで、図１の紙面における上方向はコネクタへの挿入方向であり、上側を「前」と定義する。同様に図１の紙面下方向はコネクタからの抜き取り方向であり、下側を「後」と定義する。さらに、図１の紙面奥方向を「上」、紙面手前方向を「下」と定義する。ＳＤメモリカード１００は、例えばＮＡＮＤ型フラッシュメモリなどの不揮発性半導体メモリで形成されたメモリパッケージ（不図示）及びそれを制御するメモリコントローラ（不図示）が実装された回路基板（不図示）を、上ケース１（図１では不図示）と下ケース２とからなる筐体内に収容した構成である。
【００１２】
図２に、ＳＤメモリカード１００の前面図を示す。図２に示すように、ＳＤメモリカード１００は、両側面にリブ３が形成されており、下側の幅が若干狭くなって前面視が略凸状を呈している。これは、後述するように従来のＳＤメモリカードと同様である。
【００１３】
ＳＤメモリカード１００の下面の先端近傍には、ＳＤメモリカード１００を通常モードで動作させる（メモリパッケージへのデータの読み書きをメモリコントローラに通常モードで行わせる）際に用いる通常モード用ピン４（第１のピン群に相当）が挿入方向と交差する方向に配列して複数個配置されている。また、ＳＤメモリカード１００の通常モード用ピン４が配置された領域よりも後方には、ＳＤメモリカード１００を高速モードで動作させる（メモリパッケージへのデータの読み書きをメモリコントローラに高速モードで行わせる）際に用いる高速モード用ピン５（第２のピン群に相当）が挿入方向と交差する方向に配列して複数個配置されている。通常モード用ピン４及び高速モード用ピン５は、上述の不図示の回路基板に形成された電極パターンを、下ケース２に設けられた開口を介してＳＤメモリカード１００の下面側に露出させたものである。なお、高速モード用ピン５は、差動信号を送受するためのピンであり、通常モード用ピン４よりも多数個配置されている。ここでは、高速モード用ピン５の数が通常モード用ピン４の数よりも多い構成を例としているが、必ずしも高速モード用ピン５の数が通常モード用ピン４の数よりも多くなければならない訳ではない。高速モードと通常モードとでクロックピンを兼用としたり、電源ピンを減らすなどして、高速モード用ピン５の数を通常モード用ピン４の数と同数以下とすることも可能である。
【００１４】
高速モード用ピン５は、例えば、差動クロック信号ＲＣＬＫ＋及びＲＣＬＫ−と差動データ信号Ｄ０＋及びＤ０−と、差動データ信号Ｄ１＋及びＤ１−と、電源ＶＤＤ２とＧＮＤが割り当てられる。信号ピン（差動クロック信号ＲＣＬＫ±、差動データ信号Ｄ０±、Ｄ１±）を、電源ＶＤＤ２やＧＮＤと比較して面積を小さくすることで、データ転送速度の高速化を実現しやすくなる。図３は、信号ピンを電源ピンやグラウンドピンと比較して小さくしたＳＤメモリカードの一例を示す図である。また、通常モードの電源ピン（ＶＤＤ）と高速モードの電源ピン（ＶＤＤ２）とを隣接する（ＳＤメモリカードの幅方向の位置が同じとなる）ように配置することにより、高速モードに対応したコネクタの電源端子が、通常モード用の信号ピンやＧＮＤピンに接触することがなくなる。これにより、コネクタの電源端子が信号ピンやＧＮＤピンに接触して逆バイアスが生じ、異常動作（過大電流やラッチアップ）が発生することを防止できる。さらに、電源ピンとＧＮＤピンとの距離が離れるようなピン配置となるため、電源ピンとＧＮＤピンとの間の距離が非常に接近した場合にリーク電流が増えるという問題を回避することもできる。
【００１５】
ＳＤメモリカード１００は、側面の片側に幅方向の段差６が形成されており、先端側の幅は、従来のＳＤメモリカードと同様であるが、途中で幅が広がっている。また、ＳＤメモリカード１００の段差６よりも後ろの幅（最も太い部分の幅）は、従来のＳＤメモリカード５００のクビレ５０４よりも後ろの幅（最も太い部分の幅）よりも広い。また、ＳＤメモリカード１００の幅及び形状は段差６より先の部分では従来のＳＤメモリカード５００の形状及び幅と同じである。
【００１６】
比較のために、従来のＳＤメモリカードの構成を図３０〜図３２に示す。図３０は、従来のＳＤメモリカードの上面図、図３１は、従来のＳＤメモリカードの下面図、図３２は、従来のＳＤメモリカードの前面図である。従来のＳＤメモリカード５００は、本実施の形態に係るＳＤメモリカード１００と同様に、例えばＮＡＮＤ型フラッシュメモリなどの不揮発性半導体メモリで形成されたメモリパッケージ及びそれを制御するメモリコントローラが実装された回路基板を上ケース５０１及び下ケース５０２からなる筐体内に収容した構成であり、下面の先端近傍にピン５０３が挿入方向と交差する方向に配列して複数個配置されている。また、従来のＳＤメモリカード５００は、先端側の一方の側面が斜めになってクビレ５０４が設けられており、先細になっている。
【００１７】
図３３に、従来のＳＤメモリカード５００にデータを読み書きする際に用いるコネクタの形状を示す。従来のコネクタ６００のカード挿入穴６０１は、従来のＳＤメモリカード５００の前面視と略同一形状の凸状に開口している。すなわち、カード挿入穴６０１の幅は、従来のＳＤメモリカード５００の幅が広い部分よりもやや広く、従来のＳＤメモリカード５００が従来のコネクタ６００に挿入された状態で固定される程度の大きさを有している。したがって、従来のＳＤメモリカード５００は、前後及び表裏が正しい向きであれば、図３４に示すように、カード挿入穴６０１の奥端まで挿入可能である。しかし、従来のコネクタ６００のカード挿入穴６０１は従来のＳＤメモリカード５００に合わせて先細りになっている。そのため、前後が逆向きであると、図３５に示すように、従来のＳＤメモリカード５００は、カード挿入穴６０１に途中までしか挿入できない。また、表裏が逆向きであると、図３６に示すようにカード挿入穴６０１の開口の形状に適合しないため、全く挿入できない。
【００１８】
本実施の形態に係るＳＤメモリカード１００は、先端側の幅が従来のＳＤメモリカード５００と同じであるため、前後及び表裏が正しい向きであれば先端部を従来のコネクタ６００のカード挿入穴６０１に挿入することは可能である。しかし、ＳＤメモリカード１００の段差の部分が従来のコネクタ６００のカード挿入穴６０１に突き当たって干渉し、この部分までしか挿入することができなくなっている。
【００１９】
図４は、ＳＤメモリカード１００を高速モード対応のコネクタ（高速モード対応コネクタ）２００のカード挿入穴２０１に挿入した状態を示す図である。高速モード対応コネクタ２００のカード挿入穴２０１の形状は、ＳＤメモリカード１００の幅方向の形状と対応しており、一方の内側壁に段差２０１ａが形成されていて途中で狭くなっている。このため、ＳＤメモリカード１００は、高速モード対応コネクタ２００のカード挿入穴２０１にほぼ隙間無く嵌り、カード挿入穴２０１の奥端近傍に配置された通常モード用端子２０２と対応する位置には通常モード用ピン４が配置され、カード挿入穴２０１の幅が減少する部分よりも開口側に配置された高速モード用端子２０３と対応する位置には高速モード用ピン５が配置される。
【００２０】
図５に、高速モード対応コネクタ２００に、従来のＳＤメモリカード５００を挿入した状態を示す。高速モード対応コネクタ２００のカード挿入穴２０１の開口近傍での幅は、従来のＳＤメモリカード５００よりも広いため、挿入した従来のＳＤメモリカード５００とカード挿入穴２０１の内壁との間に隙間が生じるが、従来のＳＤメモリカード５００は高速モード対応コネクタ２００に設置された付勢部材２０４によってクビレ５０４を有する側面が付勢されていて、クビレ５０４を備えない側面がカード挿入穴２０１の内壁に押し付けられる。これにより、従来のＳＤメモリカード５００は、カード挿入穴２０１の内壁の段差２０１ａに当接せずにカード挿入穴２０１の奥端まで挿入される。よって、従来のＳＤメモリカード５００の先端近傍に形成されたピン５０３は、高速モード対応コネクタ２００のカード挿入穴２０１の奥端近傍に配置された通常モード用端子２０２と対応する位置に配置される。したがって、高速モード対応コネクタ２００のカード挿入穴２０１に従来のＳＤメモリカード５００を挿入して、データの読み書きを行うことが可能である。また、従来のＳＤメモリカード５００は、高速モード用端子２０３が配置された領域に対応する領域にはピンが設けられていないため、カード挿入穴２０１に挿入しても高速モード対応コネクタ２００の高速モード用端子２０３と誤接触する恐れはない。
【００２１】
なお、高速モード対応コネクタ２００は、高速モードに対応したＳＤメモリカード１００が挿入された場合には、高速モード用端子２０３と高速モード用ピン５とだけを当接させ、通常モード用端子２０２と通常モード用ピン４とを当接させないようにしても良い。例えば、高速モード対応コネクタ２００に通常モード用端子２０２が配置されていない場合、または、通常モード用端子２０２のうち一部が配置されている場合である。同様に、高速モード対応コネクタ２００は、従来のＳＤメモリカード５００が挿入された場合には、通常モード用端子２０２とピン５０３とだけを当接させ、高速モード用端子２０３が従来のＳＤメモリカード５００の下ケース５０２と当接しないようにしても良い。挿入されたＳＤメモリカードが高速モード用のカードであるか否かの判断は、例えば付勢部材２０４の変形量を基に検出可能であるが、この方法に限らず公知の方法（光学的方法、磁気的方法、電気的方法、機械的方法など）で検出することが可能である。
【００２２】
また、従来のコネクタ６００に高速モードに対応したＳＤメモリカード１００を挿入しようとした場合は、ＳＤメモリカード１００の幅が従来のＳＤメモリカード５００のクビレ５０４よりも後ろの幅（最も太い部分の幅）よりも広いため、段差２０１ａがカード挿入穴６０１の開口縁部に引っかかる。そのため、ＳＤメモリカード１００は従来のコネクタ６００に挿入することができない。このように、本実施の形態に係るＳＤメモリカード１００は、従来のコネクタ６００には先端部のみしか挿入することができないため、高速モード用ピン５が通常モード専用の従来のコネクタ６００の端子と接触し、記録したデータが破壊されてしまうなどの不具合が発生することがない。また、高速モード対応コネクタ２００は、ＳＤメモリカード１００だけでなく、従来のＳＤメモリカード５００を差し込むことができ、ＳＤメモリカード５００のピン５０３と通常モード用ピン４をそれぞれ接触させることができる。
【００２３】
（第２の実施の形態）
図６は、第２の実施の形態に係る半導体メモリカードとしてＳＤメモリカードの構成を示す図である。第１の実施の形態と同様に、ＮＡＮＤ型フラッシュメモリなどの不揮発性半導体メモリで形成されたメモリパッケージ及びそれを制御するメモリコントローラが実装された回路基板を筐体内に収容した構成であるため、第１の実施の形態と異なる点についてのみ説明する。
【００２４】
ＳＤメモリカード１１０の後端側の幅は、従来のＳＤメモリカード５００と同じである。言い換えれば、ＳＤメモリカード１１０はＳＤメモリカード１００と異なり、段差６が形成されておらず、従来のＳＤメモリカード５００の幅が広い部分と、ＳＤメモリカード１１０の幅が広い部分はほぼ同じであると言える。また、ＳＤメモリカード１１０は、側面の片側にのみリブ３が形成されている。ここで、ＳＤメモリカード１１０の後ろから見た断面図と、カード挿入穴６０１の関係を図７に示す。図７に示すように、カード挿入穴６０１の幅と後ろから見たＳＤメモリカード１１０の幅はほぼ同じであるが、ＳＤメモリカード１１０はリブ３が片側にしか形成されていないため、従来のコネクタ６００のカード挿入穴６０１には挿入することができなくなっている。
【００２５】
本実施の形態に係るＳＤメモリカード１１０は、従来のＳＤメモリカード５００をクビレ５０４の途中から先端側に延伸した場合と同様の形状であり、通常モード用ピン４が配置された領域は先端近傍とはなっていない。そして、クビレの途中から延伸した領域には高速モード用ピン５が挿入方向と交差する方向に配列して複数個配置されている。すなわち、本実施の形態においては、ＳＤメモリカード１１０の下面の先端近傍には、ＳＤメモリカード１１０を高速モードで動作させる際に用いる高速モード用ピン５が挿入方向と交差する方向に配列して複数個配置されており、延伸した領域よりも後方には、ＳＤメモリカード１１０を通常モードで動作させる際に用いる通常モード用ピン４が挿入方向と交差する方向に配列して複数個配置されている。
【００２６】
図８に、ＳＤメモリカード１１０にデータを読み書きする際に用いる高速モード対応コネクタ２１０の形状を示す。高速モード対応コネクタ２１０のカード挿入穴２１１の開口形状は、ＳＤメモリカード１１０の前面視の形状と対応しており、一方の内側壁にリブ３に対応する溝が形成されている。このため、ＳＤメモリカード１１０は、前後及び表裏が正しい向きであれば、リブ３がカード挿入穴２１１の溝に嵌り、カード挿入穴２１１の奥端まで挿入可能である。
【００２７】
図９は、ＳＤメモリカード１１０を高速モード対応コネクタ２１０のカード挿入穴２１１に挿入した状態を示す図である。ＳＤメモリカード２１０をカード挿入穴２１１の奥端まで挿入することにより、カード挿入穴２１１の奥端近傍に配置された高速モード用端子２１２と対応する位置には高速モード用ピン５が配置され、高速モード用端子２１２よりも開口側に配置された通常モード用端子２１３と対応する位置には通常モード用ピン４が配置される。
【００２８】
図１０に、高速モード対応コネクタ２１０に、従来のＳＤメモリカード５００を挿入した状態を示す。高速モード対応コネクタ２１０のカード挿入穴２１１の幅は、従来のＳＤメモリカード５００とほぼ同じであるため、従来のＳＤメモリカード５００はクビレ５０４が突き当たるところまでしか挿入できない。よって、従来のＳＤメモリカード５００の先端近傍に形成されたピン５０３は、高速モード対応コネクタ２１０のカード挿入穴２１１の奥行き方向の中間部に配置された通常モード用端子２１３と対応する位置に配置される。したがって、高速モード対応コネクタ２１０のカード挿入穴２１１に従来のＳＤメモリカード５００を挿入して、データの読み書きを行うことが可能である。また、従来のＳＤメモリカード５００は、カード挿入穴２１１に挿入しても、高速モード用端子２１２が配置された領域にまで進入しないため、高速モード対応コネクタ２１０の高速モード用端子２１２が従来のＳＤメモリカード５００のピンに誤接触する恐れはない。また、高速モード用端子２１２は従来のＳＤメモリカード５００の本体にも接触しない。その結果、高速モード用端子２１２と従来のＳＤメモリカード５００の本体の接触により、従来のＳＤメモリカード５００の外形にダメージが入る可能性を減らすことができる。また、高速モード用端子２１２の耐久性を向上させることもできる。また、従来のＳＤメモリカード５００を高速モード対応コネクタ２１０へ差し込む際に、高速モード用端子２１２の摩擦を受けずにすむ。その結果、従来のＳＤメモリカード５００を高速モード対応コネクタ２１０へ容易に差し込むことが可能となる。
【００２９】
このように、本実施の形態に係るＳＤメモリカード１１０は、従来のコネクタ６００には全く挿入できないため、高速モード用ピン５が通常モード専用の従来のコネクタ６００のピンと接触して記録したデータが破壊されてしまうなどの不具合が発生することがない。また、高速モード対応コネクタ２１０は、ＳＤメモリカード１１０だけでなく、従来のＳＤメモリカード５００を差し込むことができ、ＳＤメモリカード５００のピン５０３と通常モード用ピン４をそれぞれ接触させることができる。
【００３０】
（第３の実施の形態）
図１１は、第３の実施の形態に係る半導体メモリカードとしてＳＤメモリカードの構成を示す図である。第１、第２の実施の形態と同様に、ＮＡＮＤ型フラッシュメモリなどの不揮発性半導体メモリで形成されたメモリパッケージ及びそれを制御するメモリコントローラが実装された回路基板を筐体内に収容した構成であるため、第１、第２の実施の形態と異なる点についてのみ説明する。
【００３１】
ＳＤメモリカード１２０の幅は、従来のＳＤメモリカード５００のクビレ５０４よりも後ろの幅（最も太い部分）と同じである。また、本実施の形態に係るＳＤメモリカード１２０は、クビレを備えていない。また、図１２に示すように、ＳＤメモリカード１２０は、側面の片側にのみリブ３が形成されており、第２の実施の形態と同様に、従来のコネクタ６００のカード挿入穴６０１には挿入することができなくなっている。
【００３２】
ＳＤメモリカード１２０の下面の先端近傍には、ＳＤメモリカード１２０を通常モードで動作させる際に用いる通常モード用ピン４が挿入方向に交差する方向に複数個配置されている。また、ＳＤメモリカード１２０の通常モード用ピン４が配置された領域よりも後方には、ＳＤメモリカード１２０を高速モードで動作させる際に用いる高速モード用ピン５が挿入方向に交差する方向に複数個配置されている。
【００３３】
図１３は、ＳＤメモリカード１２０を高速モード対応コネクタ２２０のカード挿入穴２２１に挿入した状態を示す図である。カード挿入穴２２１の開口形状は、第２の実施の形態と同様であり、一方の内壁にリブ３に対応する溝を備えており、前後及び表裏が正しい向きである場合にのみ、ＳＤメモリカード１２０の挿入が可能である。ＳＤメモリカード１２０をカード挿入穴２２１の奥端まで挿入することにより、カード挿入穴２２１の奥端近傍に配置された通常モード用端子２２２と対応する位置には通常モード用ピン４が配置され、通常モード用端子２２２よりも開口側に配置された高速モード用端子２２３と対応する位置には高速モード用ピン５が配置される。
【００３４】
図１４に、高速モード対応コネクタ２２０のカード挿入穴２２１に、従来のＳＤメモリカード５００を挿入した状態を示す。ＳＤメモリカード１２０を挿入した場合と同様に、従来のＳＤメモリカード５００はカード挿入穴２２１の奥端まで挿入され、従来のＳＤメモリカード５００の先端近傍に形成されたピン５０３は、カード挿入穴２２１の奥端近傍に配置された通常モード用端子２２２と対応する位置に配置される。したがって、高速モード対応コネクタ２２０のカード挿入穴２２１に従来のＳＤメモリカード５００を挿入して、データの読み書きを行うことが可能である。また、従来のＳＤメモリカード５００は、高速モード用端子２２３が配置された領域に対応する領域にはピンが設けられていないため、高速モード対応コネクタ２２０の高速モード用端子２２３と誤接触する恐れはない。
【００３５】
このように、本実施の形態に係るＳＤメモリカード１２０は、従来のコネクタ６００には全く挿入できないため、高速モード用ピン５が通常モード専用の従来のコネクタ６００の端子と接触して記録したデータが破壊されてしまうなどの不具合が発生することがない。また、高速モード対応コネクタ２２０は、ＳＤメモリカード１２０だけでなく、従来のＳＤメモリカード５００を差し込むことができ、ＳＤメモリカード５００のピン５０３と通常モード用ピン４をそれぞれ接触させることができる。
【００３６】
（第４の実施の形態）
図１５は、第４の実施の形態に係る半導体メモリカードとしてＳＤメモリカードの構成を示す図である。第１〜第３の実施の形態と同様に、ＮＡＮＤ型フラッシュメモリなどの不揮発性半導体メモリで形成されたメモリパッケージ及びそれを制御するメモリコントローラが実装された回路基板を筐体内に収容した構成であるため、第１〜第３の実施の形態と異なる点についてのみ説明する。
【００３７】
ＳＤメモリカード１３０は、第２、第３の実施の形態と同様に、側面の片側にのみリブ３が形成されており、従来のコネクタ６００のカード挿入穴６０１には挿入することができなくなっている。また、上面視又は下面視でのＳＤメモリカード１３０の形状は、従来のＳＤメモリカード５００と同じである。また、ＳＤメモリカード１３０の全長（前後方向の長さ）は、従来のＳＤメモリカード５００よりも長くなっている。ただし、本実施の形態においては、先端の厚さが従来のＳＤメモリカード５００よりも薄くなっている。ここで、先端とは、ＳＤメモリカード１３０と従来のＳＤメモリカード５００を、底面を重ねるように上下に置いたとき、従来のＳＤメモリカード５００からＳＤメモリカード１３０がはみ出る部分を意味する。
【００３８】
図１６は、ＳＤメモリカード１３０を読み書きするための高速モード対応コネクタ２３０のカード挿入穴２３１に、ＳＤメモリカード１３０を挿入した状態を示す図である。ＳＤメモリカード１３０をカード挿入穴２３１の奥端まで挿入することにより、カード挿入穴２３１の奥端近傍に配置された高速モード用端子２３２と対応する位置には高速モード用ピン５が配置され、高速モード用端子２３２よりも開口側に配置された通常モード用端子２３３と対応する位置には通常モード用ピン４が配置される。
【００３９】
図１７に、高速モード対応コネクタ２３０のカード挿入穴２３１に、従来のＳＤメモリカード５００を挿入した状態を示す。カード挿入穴２３１の奥端側の高さ寸法は、従来のＳＤメモリカード５００の厚さよりも小さいため、従来のＳＤメモリカード５００はカード挿入穴２３１の高さが変化するところまでしか挿入できない。よって、従来のＳＤメモリカード５００の先端近傍に形成されたピン５０３は、高速モード対応コネクタ２３０のカード挿入穴２３１の高さが変化する部分よりも開口側に配置された通常モード用端子２３３と対応する位置に配置される。したがって、高速モード対応コネクタ２３０のカード挿入穴２３１に従来のＳＤメモリカード５００を挿入して、データの読み書きを行うことが可能である。また、従来のＳＤメモリカード５００は、カード挿入穴２３１に挿入しても、高速モード用端子２３２が配置された領域にまで進入しないため、高速モード対応コネクタ２３０の高速モード用端子２３２と誤接触する恐れはない。
【００４０】
このように、本実施の形態に係るＳＤメモリカード１３０は、従来のコネクタ６００には全く挿入できないため、高速モード用ピン５が通常モード専用の従来のコネクタ６００の端子と接触して記録したデータが破壊されてしまうなどの不具合が発生することがない。また、高速モード対応コネクタ２３０は、ＳＤメモリカード１３０だけでなく、従来のＳＤメモリカード５００を差し込むことができ、ＳＤメモリカード５００のピン５０３と通常モード用ピン４をそれぞれ接触させることができる。
【００４１】
（第５の実施の形態）
図１８は、第５の実施の形態に係る半導体メモリカードとしてＳＤメモリカードの構成を示す図である。第１〜第４の実施の形態と同様に、ＮＡＮＤ型フラッシュメモリなどの不揮発性半導体メモリで形成されたメモリパッケージ及びそれを制御するメモリコントローラが実装された回路基板を筐体内に収容した構成であるため、第１〜第４の実施の形態と異なる点についてのみ説明する。
【００４２】
ＳＤメモリカード１４０の幅は、従来のＳＤメモリカード５００のクビレ５０４よりも後ろの幅（最も太い部分）と同じである。また、本実施の形態に係るＳＤメモリカード１４０は、クビレを備えていない。ＳＤメモリカード１４０は、第２〜第４の実施の形態と同様に、側面の一方のみにリブ３が形成されており、従来のコネクタ６００のカード挿入穴６０１には挿入することができなくなっている。また、リブ３が形成された側面とは反対側の側面には、先端近傍のみに切り欠き１４５が設けられている。図１９は、ＳＤメモリカード１４０の先端側及び後方側を視点方向とする外観を示す図である。
【００４３】
ＳＤメモリカード１４０の下面の先端近傍には、ＳＤメモリカード１４０を通常モードで動作させる際に用いる通常モード用ピン４が挿入方向と交差する方向に配列して複数個配置されている。また、ＳＤメモリカード１４０の通常モード用ピン４が配置された領域よりも後方には、ＳＤメモリカード１４０を高速モードで動作させる際に用いる高速モード用ピン５が挿入方向と交差する方向に配列して複数個配置されている。高速モード用ピン５は、例えば、差動クロック信号ＲＣＬＫ＋及びＲＣＬＫ−と差動データ信号Ｄ０＋及びＤ０−と、差動データ信号Ｄ１＋及びＤ１−と、電源ＶＤＤ２とＧＮＤが割り当てられる。信号ピン（差動クロック信号ＲＣＬＫ±、差動データ信号Ｄ０±、Ｄ１±）を、電源ＶＤＤ２やＧＮＤと比較して面積を小さくすることで、ＧＮＤ及び電源を確実に供給できるとともに、差動データピンの寄生容量を小さくしてデータ転送速度の高速化を実現しやすくなる。また、通常モードの電源ピン（ＶＤＤ）と高速モードの電源ピン（ＶＤＤ２）とを隣接する（ＳＤメモリカードの幅方向の位置が同じとなる）ように配置することにより、高速モードに対応したコネクタの電源端子が、通常モード用の信号ピンやＧＮＤピンに接触することがなくなる。これにより、コネクタの電源端子が信号ピンやＧＮＤピンに接触して逆バイアスが生じ、異常動作（過大電流やラッチアップ）が発生することを防止できる。さらに、電源ピンとＧＮＤピンとの距離が離れるようなピン配置となるため、電源ピンとＧＮＤピンとの間の距離が非常に接近した場合にリーク電流が増えるという問題を回避することもできる。
【００４４】
図２０は、ＳＤメモリカード１４０にデータを読み書きする際に用いる高速モード対応コネクタ２４０の形状を示す図である。高速モード対応コネクタ２４０のカード挿入穴２４１は、ＳＤメモリカード１４０の前面視の形状と対応する開口形状を有しており、一方の内側壁にリブ３に対応する溝２４８が形成されている。また、リブ３に対応する溝２４８が形成された側と反対側の内側壁の奥端近傍には、切り欠き１４５に対応した突起２４９が形成されている。
【００４５】
図２１は、ＳＤメモリカード１４０を高速モード対応コネクタ２４０のカード挿入穴２４１に挿入した状態を示す図である。カード挿入穴２４１は、一方の内壁にリブ３に対応する溝２４８を備えているため、ＳＤメモリカード１４０の前後及び表裏が正しい向きである場合にのみ、ＳＤメモリカード１４０の挿入が可能である。また、リブ３に対応する溝２４８が形成された側と反対側の内壁には、奥端近傍にのみ突起２４９が設けられている。突起２４９は、ＳＤメモリカード１４０に設けられた切り欠き１４５と対応する形状となっており、ＳＤメモリカード１４０は突起２４９と干渉することなくカード挿入穴２４１の奥端まで挿入可能である。ＳＤメモリカード１４０をカード挿入穴２４１の奥端まで挿入することにより、カード挿入穴２４１の奥端近傍に配置された通常モード用端子２４２と対応する位置には通常モード用ピン４が配置され、通常モード用端子２４２よりも開口側に配置された高速モード用端子２４３と対応する位置には高速モード用ピン５が配置される。なお、図２２に示すように、ＳＤメモリカード１４０は、裏返しや前後逆の状態ではリブ３が高速モード対応コネクタ２４０のカード挿入穴２４１の開口に干渉するため、カード挿入穴２４１へ挿入できない。
【００４６】
図２３は、高速モード対応コネクタ２４０のカード挿入穴２４１に、従来のＳＤメモリカード５００を挿入した状態を示す図である。従来のＳＤメモリカード５００は、表裏が正しい向きであれば、カード挿入穴２４１に挿入可能である。ただし、前後の向きが正しく無い場合は、カードの後端が突起２４９に干渉するため、カード挿入穴２４１の奥端まで挿入することはできない。従来のＳＤメモリカード５００は、前後・表裏が正しい向きの場合には、カード挿入穴２４１の奥端近傍に形成された突起２４９と干渉することなくカード挿入穴２４１の奥端まで挿入可能である。従来のＳＤメモリカード５００をカード挿入穴２４１の奥端まで挿入すると、従来のＳＤメモリカード５００の先端近傍に形成されたピン５０３は、カード挿入穴２４１の奥端近傍に配置された通常モード用端子２４２と対応する位置に配置される。したがって、高速モード対応コネクタ２４０のカード挿入穴２４１に従来のＳＤメモリカード５００を挿入して、データの読み書きを行うことが可能である。また、従来のＳＤメモリカード５００は、高速モード用端子２４３が配置された領域に対応する領域にはピンが設けられていないため、高速モード対応コネクタ２４０の高速モード用端子２４３と誤接触する恐れはない。
【００４７】
このように、本実施の形態に係るＳＤメモリカード１４０は、従来のコネクタ６００には全く挿入できないため、高速モード用ピン５が通常モード専用の従来のコネクタ６００の端子と接触して記録したデータが破壊されてしまうなどの不具合が発生することがない。また、高速モード対応コネクタ２４０は、ＳＤメモリカード１４０だけでなく、従来のＳＤメモリカード５００を差し込むことができ、ＳＤメモリカード５００のピン５０３と通常モード用ピン４をそれぞれ接触させることができる。
【００４８】
（第６の実施の形態）
図２４は、第６の実施の形態に係る半導体メモリカードとしてＳＤメモリカードの構成を示す図である。第１〜第５の実施の形態と同様に、ＮＡＮＤ型フラッシュメモリなどの不揮発性半導体メモリで形成されたメモリパッケージ及びそれを制御するメモリコントローラが実装された回路基板を筐体内に収容した構成であるため、第１〜第５の実施の形態と異なる点についてのみ説明する。
【００４９】
ＳＤメモリカード１５０の下面の先端近傍には、ＳＤメモリカード１５０を通常モードで動作させる際に用いる通常モード用ピン４が挿入方向と交差する方向に配列して複数個配置されている。また、ＳＤメモリカード１５０の通常モード用ピン４が配置された領域よりも後方には、ＳＤメモリカード１５０を高速モードで動作させる際に用いる高速モード用ピン５が挿入方向と交差する方向に配列して複数個配置されている。また、ＳＤメモリカード１５０の先端近傍の形状は、上面視又は下面視では、従来のＳＤメモリカード５００と同じである。具体的には、ＳＤメモリカード１５０と従来のＳＤメモリカード５００を、先端（通常モード用ピン４が配置された側）を合わせて上下に置いた場合にどちらもはみ出すことなく重なることを意味する。なお、ＳＤメモリカード１５０は、高速モード用ピン５が配置された部分よりも後方での厚さは、従来のＳＤメモリカード５００よりも厚くなっている。ＳＤメモリカード１５０は、両側面にリブ３が形成されている。また、ＳＤメモリカード１５０は、高速モード用ピン５が配置された部分よりも後方での厚さが従来のＳＤメモリカード５００よりも厚くなっている。図２５は、ＳＤメモリカード１５０の先端側及び後方側を視点方向とする外観を示す図である。
【００５０】
図２６は、ＳＤメモリカード１５０にデータを読み書きする際に用いる高速モード対応コネクタ２５０の形状を示す図である。高速モード対応コネクタ２５０のカード挿入穴２５１は、ＳＤメモリカード１５０の前面視の形状と対応する開口形状を有しており、両側壁にリブ３に対応する溝２５８が形成されている。このため、ＳＤメモリカード１５０は、前後及び表裏が正しい向きであれば、リブ３がカード挿入穴２５１の溝２５８に嵌り、カード挿入穴２５１の奥端まで挿入可能である。
【００５１】
図２７は、ＳＤメモリカード１５０を高速モード対応コネクタ２５０のカード挿入穴２５１に挿入した状態を示す図である。カード挿入穴２５１の開口形状は、第１の実施の形態と同様であり、両方の内壁にリブ３に対応する溝２５８を備えている。また、カード挿入穴２５１は、開口近傍の高さはＳＤメモリカード１５０の後端側の厚さよりも若干大きくなっているが、奥行き方向の途中の高速モード用端子２５３が配置された部分よりも先では高さ寸法が減少し、従来のＳＤメモリカード５００の高さよりも若干大きくなっている。このため、ＳＤメモリカード１５０は、表裏が正しい向きである場合にのみカード挿入穴２５１への挿入が可能である。図２８に示すように、ＳＤメモリカード１５０は、裏返しの状態ではリブ３や後端側の肉厚の部分がカード挿入穴２５１の開口縁部に干渉するため、カード挿入穴２５１へ挿入できない。また、ＳＤメモリカード１５０は、前後が逆向きであると、高さが減少する箇所に後端が干渉するため、カード挿入穴２５１の奥端まで挿入することはできない。ＳＤメモリカード１５０をカード挿入穴２５１の奥端まで挿入することにより、カード挿入穴２５１の奥端近傍に配置された通常モード用端子２５２と対応する位置には通常モード用ピン４が配置され、通常モード用端子２５２よりも開口側に配置された高速モード用端子２５３と対応する位置には高速モード用ピン５が配置される。
【００５２】
図２９は、高速モード対応コネクタ２５０のカード挿入穴２５１に、従来のＳＤメモリカード５００を挿入した状態を示す図である。ＳＤメモリカード１５０を挿入した場合と同様に、従来のＳＤメモリカード５００はカード挿入穴２５１の奥端まで挿入され、従来のＳＤメモリカード５００の先端近傍に形成されたピン５０３は、カード挿入穴２５１の奥端近傍に配置された通常モード用端子２５２と対応する位置に配置される。したがって、高速モード対応コネクタ２５０のカード挿入穴２５１に従来のＳＤメモリカード５００を挿入して、データの読み書きを行うことが可能である。また、従来のＳＤメモリカード５００は、高速モード用端子２５３が配置された領域に対応する領域にはピンが設けられていないため、高速モード対応コネクタ２５０の高速モード用端子２５３と誤接触する恐れはない。
【００５３】
このように、本実施の形態に係るＳＤメモリカード１５０は、従来のコネクタ６００には先端部分しか挿入できないため、高速モード用ピン５が通常モード専用の従来のコネクタ６００の端子と接触して記録したデータが破壊されてしまうなどの不具合が発生することがない。また、高速モード対応コネクタ２５０は、ＳＤメモリカード１５０だけでなく、従来のＳＤメモリカード５００を差し込むことができ、ＳＤメモリカード５００のピン５０３と通常モード用ピン４をそれぞれ接触させることができる。
【００５４】
上記各実施の形態に係るＳＤメモリカードは、通常モードで動作させる場合と高速モードで動作させる場合とでコネクタへの差込方向が同じであるため、通常モードで動作させる場合と高速モードで動作させる場合とでユーザが意図的に差込方向を変える必要が無い。このため、ユーザが誤った向きでコネクタへ挿入してしまうことは起こりにくい。
【００５５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明と均等の範囲に含まれる。
【符号の説明】
【００５６】
３  リブ、４  通常モード用ピン、５  高速モード用ピン、６  段差、１００、１１０、１２０、１３０、１４０、１５０  ＳＤメモリカード、２００、２１０、２２０、２３０、２４０、２５０  高速モード対応コネクタ、２０１、２１１、２２１、２３１、２４１、２５１  カード挿入穴、５００  従来のＳＤメモリカード。
【図１】
2011146020.tif 000003
【図２】
2011146020.tif 000004
【図３】
2011146020.tif 000005
【図４】
2011146020.tif 000006
【図５】
2011146020.tif 000007
【図６】
2011146020.tif 000008
【図７】
2011146020.tif 000009
【図８】
2011146020.tif 000010
【図９】
2011146020.tif 000011
【図１０】
2011146020.tif 000012
【図１１】
2011146020.tif 000013
【図１２】
2011146020.tif 000014
【図１３】
2011146020.tif 000015
【図１４】
2011146020.tif 000016
【図１５】
2011146020.tif 000017
【図１６】
2011146020.tif 000018
【図１７】
2011146020.tif 000019
【図１８】
2011146020.tif 000020
【図１９】
2011146020.tif 000021
【図２０】
2011146020.tif 000022
【図２１】
2011146020.tif 000023
【図２２】
2011146020.tif 000024
【図２３】
2011146020.tif 000025
【図２４】
2011146020.tif 000026
【図２５】
2011146020.tif 000027
【図２６】
2011146020.tif 000028
【図２７】
2011146020.tif 000029
【図２８】
2011146020.tif 000030
【図２９】
2011146020.tif 000031
【図３０】
2011146020.tif 000032
【図３１】
2011146020.tif 000033
【図３２】
2011146020.tif 000034
【図３３】
2011146020.tif 000035
【図３４】
2011146020.tif 000036
【図３５】
2011146020.tif 000037
【図３６】
2011146020.tif 000038